(57)【要約】      （修正有）【課題】複数段の光接続用ユニットから光ケーブルを保護しつつ、使用状況や設置状況に応じてラック垂直方向へ配線することができる光接続用ユニットを提供する。【解決手段】ラックに複数搭載可能な光接続用ユニット１であって、ユニット本体１０と、ユニット本体１０の側面に設けられラックに固定するためのブラケット１４と、ユニット本体１０の前面側に配置され光アダプタが取り付けられたアダプタパネル１５と、光アダプタに接続される光ケーブルを保護するために、アダプタパネル１５の前方に光ケーブルを通すための距離を空けて設けられた前面パネル１７と、を備え、前面パネル１７とアダプタパネル１５との間の距離を変えられるように、前後方向に前面パネル１７を可動とする前面パネル可動機構２０を有する。【選択図】図１
0003214021.tif 000002
【実用新案登録請求の範囲】
【請求項１】
ラックに搭載可能な光接続用ユニットであって、
ユニット本体と、
前記ユニット本体の側面に設けられ前記ラックに固定するためのブラケットと、
前記ユニット本体の前面側に配置され光アダプタが取り付けられたアダプタパネルと、
前記アダプタパネルの前方に、前記アダプタパネルから離れて設けられた前面パネルと、を備え、
前記前面パネルと前記アダプタパネルとの間の距離を変えられるように、前後方向に前記前面パネルを可動とする前面パネル可動機構を有する、
光接続用ユニット。
【請求項２】
前記前面パネル可動機構は、
Ｔ字型部材と、腕部と、腕部固定ねじと、を備え、
前記Ｔ字型部材は、Ｔ字の横棒部が前記ブラケットのユニット接続部の上下方向に沿って取り付けられ、Ｔ字の縦棒部が前記ユニット接続部の前後方向に延在し、前記ブラケットのラック搭載部に設けられた長孔を通って前記アダプタパネルよりも前方に突出し、前記腕部を挟み込むようにして前記前面パネルの前後方向への移動をガイドするガイド部が設けられており、
前記腕部は、所定の間隔を空けて複数の孔が設けられた棒と該棒の先端が曲げられた先端部とを有し、前記棒が前記ユニット接続部に沿って前記Ｔ字型部材の表面側に設けられ、前記長孔を通って前記アダプタパネルよりも前方に突出し、前記先端部が前記前面パネルを支持するように形成されており、
前記腕部固定ねじは、前記腕部の複数の孔のいずれかを貫通させて、前記腕部を前記Ｔ字型部材にねじ止め可能である、
請求項１に記載の光接続用ユニット。
【請求項３】
前記ユニット本体の側板に、前記ユニット接続部に設けられたねじ孔の相対前後位置を変えて固定することで、前記ユニット本体と前記ブラケットの相対前後位置を変え、前記ユニット本体に対して前記ラック搭載部を前後方向に可動とする、
請求項２に記載の光接続用ユニット。
【請求項４】
差し込み部と拘束部とを有する差し込み型クランプを備え、
前記差し込み部は、前記腕部の複数の孔のいずれかに差し込み可能に形成され、
前記拘束部は、複数の光ケーブルを拘束して集線可能である、
請求項２または請求項３に記載の光接続用ユニット。
【請求項５】
前記ユニット本体の後方側の角部に切り欠きが設けられている、
請求項１から請求項４のいずれか一項に記載の光接続用ユニット。
【考案の詳細な説明】
【技術分野】
【０００１】
本考案は、光接続用ユニットに関する。
【背景技術】
【０００２】
基地局やデータセンターなどにおいて、局内の光ケーブルと外線の光ケーブルとを接続する光接続用ユニットが、ラックの上下方向に段積みされて使用されている（例えば、特許文献１参照）。
【先行技術文献】
【特許文献】
【０００３】
【特許文献１】特開２００５−１４８３２７号公報
【考案の概要】
【考案が解決しようとする課題】
【０００４】
ラックに搭載された複数段の光接続用ユニットのそれぞれの前方に設けられた複数の光アダプタには、それぞれ光ケーブルが接続される。上記複数の光アダプタに接続された光ケーブルは、例えば特許文献１に記載されたスプライスユニット（光接続用ユニットの一例）のように、ラックの垂直方向へ垂らすよう配線することができる。ところが、光接続用ユニットの前方の光アダプタに接続する光ケーブルをその前方において垂直方向に配線した場合、ラック前方側のスペースは設置場所によって異なるため、十分にケーブルの保護ができなかったり、逆にラック前方のスペースが狭くなりすぎて通行等の邪魔になるなどのおそれがある。
【０００５】
本考案は、光接続用ユニットから光ケーブルを保護しつつ、使用状況や設置状況に応じてラック垂直方向へ配線することができる光接続用ユニットを提供することを目的とする。
【課題を解決するための手段】
【０００６】
本考案の一態様に係る光接続用ユニットは、ラックに搭載可能な光接続用ユニットであって、
ユニット本体と、
前記ユニット本体の側面に設けられ前記ラックに固定するためのブラケットと、
前記ユニット本体の前面側に配置され光アダプタが取り付けられたアダプタパネルと、
前記アダプタパネルの前方に、前記アダプタパネルから離れて設けられた前面パネルと、を備え、
前記前面パネルと前記アダプタパネルとの間の距離を変えられるように、前後方向に前記前面パネルを可動とする前面パネル可動機構を有する。
【考案の効果】
【０００７】
本考案によれば、光接続用ユニットから光ケーブルを保護しつつ、使用状況や設置状況に応じてラック垂直方向へ配線することができる。
【図面の簡単な説明】
【０００８】
【図１】本実施形態に係る光接続用ユニットの一例を示す斜視図である。
【図２】本実施形態に係る光接続用ユニットの全体構成を示す平面図であり、天板を外して上面から見た図である。
【図３Ａ】前面パネル可動機構のブラケットを示す正面図である。
【図３Ｂ】前面パネル可動機構のブラケットを示す上面図である。
【図３Ｃ】前面パネル可動機構のブラケットを示す側面図である。
【図４Ａ】前面パネル可動機構の腕部を示す正面図である。
【図４Ｂ】前面パネル可動機構の腕部を示す上面図である。
【図４Ｃ】前面パネル可動機構の腕部を示す側面図である。
【図５Ａ】前面パネル可動機構のＴ字型部材を示す正面図である。
【図５Ｂ】前面パネル可動機構のＴ字型部材を示す上面図である。
【図５Ｃ】前面パネル可動機構のＴ字型部材を示す側面図である。
【図６】本実施形態に係る光接続用ユニットが複数搭載されたラックの一例を示す正面図である。
【図７】図６のラックの側面図である。
【図８】図６のラックに搭載された状態の本実施形態に係る光接続用ユニットを天板を外して上面から見た図である。
【図９】本実施形態に係る光接続用ユニットにおいて前面パネルとアダプタパネルとの間の距離を短くした状態のラックの側面図である。
【図１０】図９の状態の本実施形態に係る光接続用ユニットを天板を外して上面から見た図である。
【図１１】図９の状態の本実施形態に係る光接続用ユニットに差し込み型クランプを取り付けた状態のラックの側面図である。
【図１２】図１１の状態の本実施形態に係る光接続用ユニットを天板を外して上面から見た図である。
【考案を実施するための形態】
【０００９】
［本考案の実施形態の説明］
最初に本考案の実施形態を列記して説明する。
本考案の実施形態に係る光接続用ユニットは、
（１）  ラックに搭載可能な光接続用ユニットであって、
ユニット本体と、
前記ユニット本体の側面に設けられ前記ラックに固定するためのブラケットと、
前記ユニット本体の前面側に配置され光アダプタが取り付けられたアダプタパネルと、
前記アダプタパネルの前方に、前記アダプタパネルから離れて設けられた前面パネルと、を備え、
前記前面パネルと前記アダプタパネルとの間の距離を変えられるように、前後方向に前記前面パネルを可動とする前面パネル可動機構を有する。
ラックに光接続用ユニットを搭載した場合に、設置場所に応じて前面パネルとアダプタパネルとの間の距離を変えることで、光接続用ユニットに接続される光ケーブルを、前面パネルによって保護しつつ、ラックの垂直方向へ配線することができる。
【００１０】
（２）  前記前面パネル可動機構は、
Ｔ字型部材と、腕部と、腕部固定ねじと、を備え、
前記Ｔ字型部材は、Ｔ字の横棒部が前記ブラケットのユニット接続部の上下方向に沿って取り付けられ、Ｔ字の縦棒部が前記ユニット接続部の前後方向に延在し、前記ブラケットのラック搭載部に設けられた長孔を通って前記アダプタパネルよりも前方に突出し、前記腕部を挟み込むようにして前記前面パネルの前後方向への移動をガイドするガイド部が設けられており、
前記腕部は、所定の間隔を空けて複数の孔が設けられた棒と該棒の先端が曲げられた先端部とを有し、前記棒が前記ユニット接続部に沿って前記Ｔ字型部材の表面側に設けられ、前記長孔を通って前記アダプタパネルよりも前方に突出し、前記先端部が前記前面パネルを支持するように形成されており、
前記腕部固定ねじは、前記腕部の複数の孔のいずれかを貫通させて、前記腕部を前記Ｔ字型部材にねじ止め可能である。
腕部固定ねじを貫通させる腕部の孔を変えて、前面パネルとアダプタパネルとの間の距離を変えることができる。これにより、前面パネル可動機構は、前後方向に前面パネルを可動とすることができる。
【００１１】
（３）  前記ユニット本体の側板に、前記ユニット接続部に設けられたねじ孔の相対前後位置を変えて固定することで、前記ユニット本体と前記ブラケットの相対前後位置を変え、前記ユニット本体に対して前記ラック搭載部を前後方向に可動とする。
ラック搭載部を前後方向に可動とすることにより、ラック前後方向におけるユニットの搭載位置を変更することができる。
【００１２】
（４）  差し込み部と拘束部とを有する差し込み型クランプを備え、
前記差し込み部は、前記腕部の複数の孔のいずれかに差し込み可能に形成され、
前記拘束部は、複数の光ケーブルを拘束して集線可能である。
アダプタパネルに接続された複数の光ケーブルを差し込み型クランプで拘束することによって、複数の光ケーブルを束にして集線することができる。これにより、集線用ガイドをラックに設けずとも、光ケーブルを束ねて集線することができる。
【００１３】
（５）  前記ユニット本体の後方側の角部に切り欠きが設けられている。
本体の後方の横方向から光ケーブルを導入する場合に、切り欠き部分を導入スペースとして用いることができるので、光接続用ユニットにおけるケーブル導入用のスペースを小さくすることができる。
【００１４】
［本考案の実施形態の詳細］
本考案の実施形態に係る光接続用ユニットの具体例を、以下に図面を参照しつつ説明する。
なお、本考案はこれらの例示に限定されるものではなく、実用新案登録請求の範囲によって示され、実用新案登録請求の範囲と均等の意味および範囲内でのすべての変更が含まれることが意図される。
【００１５】
図１は、本実施形態に係る光接続用ユニットの一例を示す斜視図であり、差し込み型クランプを付けていない状態である。なお、図１では、アダプタパネルに取り付けられる複数の光アダプタの図示を省略している。図２は、本実施形態に係る光接続用ユニットの全体構成を示す平面図であり、天板を外して上面から見た図である。なお、図２は、図１の状態から前面パネルを前に移動させて差し込み型クランプを付けた状態を示している。
【００１６】
図１に示すように、光接続用ユニット１は、底板１１の左右両側に側板１２，１２が起立し、上面に天板１３が取り付けられた扁平な箱状となっているユニット本体１０を備える。側板１２，１２には、光接続用ユニット１をラックに搭載する際にラックに固定するためのブラケット１４，１４が、側板１２，１２にねじ止めされて取り付けられている。
【００１７】
図１および図２に示すように、ユニット本体１０の後方側の角部に、切り欠き６が設けられていてもよい。本例では、底板１１および天板１３の後方側の左右の角部にそれぞれ切り欠き６が設けられている。これにより、ユニット本体１０の後方の横方向から光ケーブルを導入する場合に、切り欠き６で空いた空間を導入スペースとして用いることができる。これにより、光接続用ユニット１におけるケーブル導入用のスペースを小さくすることができる。図２の例では、後部ケーブルアダプタ５が、ユニット本体１０の後方側の切り欠き６が設けられた左側に２つ設けられている。これにより、図２の例では、左側の切り欠き６で空いた空間を後部ケーブルアダプタ５に接続される光ケーブルの導入スペースとして利用できる。なお、仕様により後部ケーブルアダプタ５等を右側に（或いは左右に）設ける場合なども考えられるので、左右両側に切り欠き６を設けておけば、仕様変更や仕様の違う製品等にも適用可能である。例えば、切欠き６の左右方向の長さは５０ｍｍ程度とし、切欠き６の前後方向の長さは後部ケーブルアダプタ５等が配置されるスペースを考慮した長さなどにする。
【００１８】
図３Ａ，図３Ｂ，図３Ｃ（図１、図２も参照）に示すように、ブラケット１４は、ユニット本体１０の側板１２に沿って延在するユニット接続部１４ａと、ユニット接続部１４ａの前方で直角に折れ曲がったラック搭載部１４ｂとを有している。
ユニット接続部１４ａは、ブラケット１４を側板１２に固定するための複数のねじ孔１４ｃが設けられている。ユニット接続部１４ａには、さらに、後述するＴ字型部材２２を固定するための２つのねじ孔１４ｄが設けられている。
ラック搭載部１４ｂには、ラック搭載用のねじ孔１４ｅと、後述する腕部２１およびＴ字型部材２２を通す矩形の長孔１４ｆが設けられている。
【００１９】
図２に示すように、ユニット本体１０には、光接続機器として例えば融着接続ユニット３が搭載可能である。融着接続ユニット３の前方には、アダプタパネル１５が底板１１から起立し、このアダプタパネル１５には複数の光アダプタ１６が取り付けられている。各光アダプタ１６は、融着接続ユニット３と光配線４によって接続されている。なお、アダプタパネル１５は、ブラケット１４のラック搭載部１４ｂとほぼ面一に設けられている。
【００２０】
図１および図２に示すように、アダプタパネル１５の前方には、各光アダプタ１６に接続される光ケーブル（図示せず）を保護するために、アダプタパネル１５の前方に光ケーブルを通すために所定距離を空けて設けられた前面パネル１７を備えている。
【００２１】
また、光接続用ユニット１は、前面パネル１７とアダプタパネル１５との間の距離を変えられるように、前後方向に前面パネル１７を可動とする前面パネル可動機構２０を有している。前面パネル可動機構２０は、腕部２１と、Ｔ字型部材２２と、腕部固定ねじ２３と、を備えている。
【００２２】
図４Ａ，図４Ｂ，図４Ｃ（図１、図２も参照）に示すように、腕部２１は、ブラケット１４のユニット接続部１４ａに沿った細長い板状の棒であり、所定の間隔を空けて複数の孔２１ａがあけられている。また、腕部２１の前端部２１ｂは、アダプタパネル１５と平行になるように直角に折れ曲がっており、前端部２１ｂに設けられたねじ孔２１ｃを介して前面パネル１７にねじ止めされ、前面パネル１７を支持している。
【００２３】
図５Ａ，図５Ｂ，図５Ｃ（図１、図２も参照）に示すように、Ｔ字型部材２２におけるＴ字の横棒部２２ａは、ブラケット１４のユニット接続部１４ａの上下方向に沿って取り付けられている。また、Ｔ字の縦棒部２２ｂは、ブラケット１４のユニット接続部１４ａに沿って、光接続用ユニット１の前後方向に延在しており、ラック搭載部１４ｂの長孔１４ｆを通って、アダプタパネル１５よりも前方に突出している。このＴ字の縦棒部２２ｂが突出した突出部２２ｃには、その上下端がそれぞれ水平方向に折り曲げられて、腕部２１を挟み込むようにして前後方向への移動をガイドするガイド部２２ｄが設けられている。また、突出部２２ｃには、ねじ孔２２ｅが設けられている。腕部固定ねじ２３は、腕部２１の複数の孔２１ａのいずれかを貫通させてＴ字型部材２２のねじ孔２２ｅにねじ止めされている。
【００２４】
以上の構造により、前面パネル可動機構２０は、腕部固定ねじ２３を貫通させる孔２１ａを変えて、前面パネル１７とアダプタパネル１５との間の距離を変えることができる。これにより、前面パネル可動機構２０は、前後方向に前面パネル１７を可動とすることができる。
また、ユニット本体１０の側板１２に対するユニット接続部１４ａのねじ孔１４ｃの相対前後位置を変えて固定することで、ユニット本体１０とブラケット１４の相対前後位置を変えることができる。これによりユニット本体１０に対してラック搭載部１４ｂを前後方向に可動とすることができる。
【００２５】
なお、光接続用ユニット１は、アダプタパネル１５に接続される複数の光ケーブルを集線可能な拘束部２４ａを有する差し込み型クランプ２４を備えていてもよい。本例では、差し込み型クランプ２４は、腕部２１の複数の孔２１ａのいずれか２つに差し込み可能な２つの差し込み部２４ｂを備えている。
【００２６】
次に、本実施形態の光接続用ユニット１をラックへ搭載する搭載例およびラック搭載時に前面パネルの位置を前面パネル可動機構２０によって変化させた状態を説明する。
【００２７】
本例では、図６および図７に示すように、ラック２に４台の光接続用ユニット１が上下方向に並ぶように搭載されている。各光接続用ユニット１は、図６に示すように、ブラケット１４のラック搭載用のねじ孔１４ｅにねじ２ｂでラック筐体の一部分２ａに螺合されて固定されている。図７および図８に示す状態では、前面パネル可動機構２０を構成する腕部２１の孔２１ａがアダプタパネル１５の前方に７個出ている状態となっている。次に、腕部固定ねじ２３を貫通させる孔２１ａを変えて、図９および図１０に示す状態とする。図９および図１０では、腕部２１の孔２１ａがアダプタパネル１５の前方に５個出ている状態となり、図７および図８で示した状態よりも前面パネル１７とアダプタパネル１５との間の距離が短くなっている。
【００２８】
以上のように、腕部固定ねじ２３を貫通させる孔２１ａを変えることにより、前後方向に前面パネル１７を可動とすることができる。このように、ラック２に光接続用ユニット１を搭載した場合に、例えば、光接続用ユニット１の搭載する段数、接続するケーブルの本数、ラックの設置された場所の広さなどの様々な状況に応じて、前面パネル１７とアダプタパネル１５との間の距離を変えることができる。これにより、各段の光接続用ユニット１に接続される光ケーブルを、様々な状況において、前面パネル１７によって保護しつつ、ラック２の垂直方向へ配線することができる。更には、ラック前後方向におけるユニットの搭載位置も変更することもでき、より様々な状況に対応することができる。
【００２９】
なお、本例では、ラック２の各段に搭載した複数（４台）の光接続用ユニット１における、それぞれの前面パネル１７とアダプタパネル１５との間の距離を同じものとしたが、このように光接続用ユニット１を複数段搭載する場合に各段の光接続用ユニット１における前記距離を異なるようにしてもよい。各段の光接続用ユニット１のアダプタパネル１５から、それぞれ光ケーブルをラック２の垂直方向に垂らすように接続した場合に、例えば、上の段の光接続用ユニット１の前面パネル１７の位置が下の段の光接続用ユニット１の前面パネル１７の位置よりも前になるようにする。このようにして、上の段の光接続用ユニット１に接続された光ケーブルが下の段の光接続用ユニット１の前面パネル１７の前方を垂直方向に配設することができ、各段から配設される光ケーブルの位置を変えて、それぞれの光ケーブルが邪魔にならないようにすることができる。或いは、逆に下の段の光接続用ユニット１の前面パネル１７の位置が上の段の光接続用ユニット１の前面パネル１７の位置よりも前になるようにしてもよい。
【００３０】
差し込み型クランプ２４を光接続用ユニット１に取り付けた例を図１１および図１２に示す。光接続用ユニット１が、上記の図９および図１０に示す状態にあるとき、腕部２１における２箇所の孔２１ａにそれぞれ差し込み部２４ｂを挿入して差し込み型クランプ２４を取り付ける。これにより、図１１および図１２に示す状態となる。そして、拘束部２４ａにアダプタパネル１５に接続される複数の光ケーブル（図示せず）を通してこれらの光ケーブルを差し込み型クランプ２４で拘束することで、複数の光ケーブルを束にして集線することができる。これにより、集線用ガイドをラックに設けずとも、アダプタパネル１５に接続された複数の光ケーブルを束ねて集線することができる。
【００３１】
以上、本発明を詳細にまた特定の実施態様を参照して説明したが、本発明の精神と範囲を逸脱することなく様々な変更や修正を加えることができることは当業者にとって明らかである。また、上記説明した構成部材の数、位置、形状等は上記実施の形態に限定されず、本発明を実施する上で好適な数、位置、形状等に変更することができる。
【符号の説明】
【００３２】
１  光接続用ユニット
２  ラック
２ａ  ラック筐体の一部分
３  融着接続ユニット
４  光配線
５  後部ケーブルアダプタ
６  切り欠き
１０  ユニット本体
１１  底板
１２  側板
１３  天板
１４  ブラケット
１４ａ  ユニット接続部
１４ｂ  ラック搭載部
１４ｃ  孔
１４ｄ  孔
１４ｅ  孔
１４ｆ  長孔
１５  アダプタパネル
１６  光アダプタ
１７  前面パネル
２０  前面パネル可動機構
２１  腕部
２１ａ  孔
２１ｂ  前端部
２１ｃ  孔
２２  Ｔ字型部材
２２ａ  横棒部
２２ｂ  縦棒部
２２ｃ  突出部
２２ｄ  ガイド部
２２ｅ  孔
２４  差し込み型クランプ
２４ａ  拘束部
２４ｂ  差し込み部
【図１】
0003214021.tif 000003
【図２】
0003214021.tif 000004
【図３Ａ】
0003214021.tif 000005
【図３Ｂ】
0003214021.tif 000006
【図３Ｃ】
0003214021.tif 000007
【図４Ａ】
0003214021.tif 000008
【図４Ｂ】
0003214021.tif 000009
【図４Ｃ】
0003214021.tif 000010
【図５Ａ】
0003214021.tif 000011
【図５Ｂ】
0003214021.tif 000012
【図５Ｃ】
0003214021.tif 000013
【図６】
0003214021.tif 000014
【図７】
0003214021.tif 000015
【図８】
0003214021.tif 000016
【図９】
0003214021.tif 000017
【図１０】
0003214021.tif 000018
【図１１】
0003214021.tif 000019
【図１２】
0003214021.tif 000020